(57)【要約】【課題】携帯端末を用いた自宅等の監視及び制御を簡易に行うことが可能な技術を提供すること。【解決手段】管理装置(30)は、当該管理装置に割り当てられた識別情報を送信することにより、ユーザが操作する携帯端末(20)との間で無線接続を行う接続手段(311)と、無線接続を介した携帯端末からの指示に応じて、制御サーバ(10)との間で通信を行うための通信設定を行う設定手段(313)と、１以上の管理対象機器(40)の動作状態を収集し、収集した１以上の管理対象機器の動作状態を含む管理情報を制御サーバに送信する管理手段(320)と、を備え、制御サーバは、携帯端末から受信した、管理装置の識別情報を含むユーザ情報を登録する登録手段(120)と、携帯端末から受信した、管理情報を記憶する記憶手段(150)と、を備える機器管理システム(1)を提供する。【選択図】図２
2020110006.tif 000002
【特許請求の範囲】
【請求項１】
１以上の管理対象機器を管理する管理装置と、前記管理装置を制御するための制御サー
バと、を備える機器管理システムであって、
前記管理装置は、
当該管理装置に割り当てられた識別情報を送信することにより、ユーザが操作する携帯
端末との間で無線接続を行う接続手段と、
前記無線接続を介した前記携帯端末からの指示に応じて、前記制御サーバとの間で通信
を行うための通信設定を行う設定手段と、
前記１以上の管理対象機器の動作状態を収集し、収集した前記１以上の管理対象機器の
動作状態を含む管理情報を前記制御サーバに送信する管理手段と、
を備え、
前記制御サーバは、
前記携帯端末から受信した、前記管理装置の識別情報を含むユーザ情報を登録する登録
手段と、
前記携帯端末から受信した、前記管理情報を記憶する記憶手段と、
を備える、機器管理システム。
【請求項２】
前記管理装置の前記管理手段は、前記制御サーバとの間で通信を行うための前記通信設
定が完了した後、前記管理情報を前記制御サーバに送信する、
請求項１に記載の機器管理システム。
【請求項３】
前記管理装置の前記接続手段は、前記携帯端末との間で第１通信経路による前記無線接
続を行い、
前記管理装置の前記設定手段は、前記制御サーバとの間で第２通信経路により通信を行
うための前記通信設定を行い、
前記管理装置の前記管理手段は、第３通信経路により前記１以上の管理対象機器の動作
状態を収集し、前記第２通信経路により前記管理情報を前記制御サーバに送信する、
請求項１又は２のいずれか一項に記載の機器管理システム。
【請求項４】
前記管理装置の前記管理手段は、前記管理装置が備えるセンサにより検出された、前記
管理装置が設置された場所の環境の状態を示す環境情報を収集し、収集した前記環境情報
を含む前記管理情報を前記制御サーバに送信する、
請求項１乃至３のいずれか一項に記載の機器管理システム。
【請求項５】
前記管理装置の前記管理手段は、収集した前記環境情報に基づき、又は、前記制御サー
バからの指示に基づき、前記１以上の管理対象機器の各々を制御するための制御情報を、
前記１以上の管理対象機器のいずれかに送信する、
請求項４に記載の機器管理システム。
【請求項６】
前記制御サーバは、前記管理情報、又は前記管理情報に基づき検出した通知情報を前記
携帯端末に通知する通知部、を有する、
請求項１乃至５のいずれか一項に記載の機器管理システム。
【請求項７】
前記管理装置の前記管理手段は、前記携帯端末からの指示に基づき、前記１以上の管理
対象機器の各々を制御するための制御情報を、前記携帯端末から指定された管理対象機器
に送信する、
請求項１乃至６のいずれか一項に記載の機器管理システム。
【請求項８】
１以上の管理対象機器を管理する管理装置であって、
当該管理装置に割り当てられた識別情報を送信することにより、ユーザが操作する携帯
端末との間で無線接続を行う接続手段と、
前記無線接続を介した前記携帯端末からの指示に応じて、制御サーバとの間で通信を行
うための通信設定を行う設定手段と、
前記１以上の管理対象機器の動作状態を収集し、収集した前記１以上の管理対象機器の
動作状態を含む管理情報を前記制御サーバに送信する管理手段と、
を備える管理装置。
【請求項９】
１以上の管理対象機器を管理する管理装置が、
当該管理装置に割り当てられた識別情報を送信することにより、ユーザが操作する携帯
端末との間で無線接続を行うステップと、
前記無線接続を介した前記携帯端末からの指示に応じて、制御サーバとの間で通信を行
うための通信設定を行うステップと、
前記１以上の管理対象機器の動作状態を収集し、収集した前記１以上の管理対象機器の
動作状態を含む管理情報を前記制御サーバに送信するステップと、
を実行する管理方法。
【請求項１０】
１以上の管理対象機器を管理する管理装置から受信した識別情報に基づき、前記管理装
置との間で無線接続を行う接続手段と、
前記無線接続に基づき、制御サーバに前記管理装置が接続するための通信設定を行う設
定手段と、
前記制御サーバに、前記管理装置に割り当てられた前記識別情報を含むユーザ情報を送
信する送信手段と、
前記管理装置又は前記制御サーバから、前記管理装置が管理する前記１以上の管理対象
機器の動作状態を含む管理情報を取得する取得手段と、
前記管理装置又は前記制御サーバに、前記管理装置が管理する前記１以上の管理対象機
器を制御するための制御指示を行う指示手段と、
を携帯端末に実行させるためのアプリケーションプログラム。
【請求項１１】
前記管理装置又は前記制御サーバから、前記管理装置が管理する前記１以上の管理対象
機器の動作状態に基づき検出された通知情報を取得してユーザに報知する報知手段、
を更に前記携帯端末に実行させるための請求項１０記載のアプリケーションプログラム。
【発明の詳細な説明】
【技術分野】
【０００１】
本発明は、機器管理システム、管理装置、管理方法及びアプリケーションプログラムに
関する。
【背景技術】
【０００２】
近年、ユーザの自宅内を監視することが可能なシステムが知られている。例えば特許文
献１には、所定のイベントを検出する少なくとも１つのセンサと、センサと通信可能な親
機と、親機との間で無線ルータを用いて無線通信可能な携帯電話端末と、を備え、親機は
、センサが所定のイベントを検出すると、センサに関する情報を携帯電話端末に転送し、
携帯電話端末は、親機から転送された所定のイベントを検出したセンサに関する情報を表
示する宅内監視システムが記載されている。
【先行技術文献】
【特許文献】
【０００３】
【特許文献１】特開２００６−１００７８９号公報
【発明の概要】
【発明が解決しようとする課題】
【０００４】
ユーザの自宅内の環境及び自宅に設置された各種の機器を、スマートフォン等の携帯端
末を用いて容易に監視及び制御することができれば、利便性が格段に向上すると考えられ
る。しかしながら、特許文献１に記載の宅内監視システムでは、ユーザの自宅内の環境を
監視しようとする場合、親機とは別に自宅内にセンサを設置する必要があることから、実
際に自宅の監視を可能にするためには多くの手間がかかるという問題がある。また、特許
文献１に記載の宅内監視システムでは、ユーザの自宅に設置された各種の機器を制御する
ことについては考慮されていないという問題もある。
【０００５】
本発明のいくつかの態様は前述の課題に鑑みてなされたものであり、携帯端末を用いた
自宅等の監視及び制御を簡易に行うことが可能な技術を提供することを目的とする。
【課題を解決するための手段】
【０００６】
本発明の一態様に係る機器管理システムは、１以上の管理対象機器を管理する管理装置
と、管理装置を制御するための制御サーバと、を備える機器管理システムであって、管理
装置は、当該管理装置に割り当てられた識別情報を送信することにより、ユーザが操作す
る携帯端末との間で無線接続を行う接続手段と、無線接続を介した携帯端末からの指示に
応じて、制御サーバとの間で通信を行うための通信設定を行う設定手段と、１以上の管理
対象機器の動作状態を収集し、収集した１以上の管理対象機器の動作状態を含む管理情報
を制御サーバに送信する管理手段と、を備え、制御サーバは、携帯端末から受信した、管
理装置の識別情報を含むユーザ情報を登録する登録手段と、携帯端末から受信した、管理
情報を記憶する記憶手段と、を備える。
【０００７】
本発明の他の態様に係る管理装置は、１以上の管理対象機器を管理する管理装置であっ
て、当該管理装置に割り当てられた識別情報を送信することにより、ユーザが操作する携
帯端末との間で無線接続を行う接続手段と、無線接続を介した携帯端末からの指示に応じ
て、制御サーバとの間で通信を行うための通信設定を行う設定手段と、１以上の管理対象
機器の動作状態を収集し、収集した１以上の管理対象機器の動作状態を含む管理情報を制
御サーバに送信する管理手段と、を備える。
【０００８】
本発明の他の態様に係る管理方法は、１以上の管理対象機器を管理する管理装置が、当
該管理装置に割り当てられた識別情報を送信することにより、ユーザが操作する携帯端末
との間で無線接続を行うステップと、無線接続を介した携帯端末からの指示に応じて、制
御サーバとの間で通信を行うための通信設定を行うステップと、１以上の管理対象機器の
動作状態を収集し、収集した１以上の管理対象機器の動作状態を含む管理情報を制御サー
バに送信するステップと、を実行する。
【０００９】
本発明の他の態様に係るアプリケーションプログラムは、１以上の管理対象機器を管理
する管理装置から受信した識別情報に基づき、管理装置との間で無線接続を行う接続手段
と、無線接続に基づき、制御サーバに管理装置が接続するための通信設定を行う設定手段
と、制御サーバに、管理装置に割り当てられた識別情報を含むユーザ情報を送信する送信
手段と、管理装置又は制御サーバから、管理装置が管理する１以上の管理対象機器の動作
状態を含む管理情報を取得する取得手段と、管理装置又は制御サーバに、管理装置が管理
する１以上の管理対象機器を制御するための制御指示を行う指示手段と、を携帯端末に実
行させる。
【００１０】
なお、本発明において、「部」や「手段」、「装置」、「システム」とは、単に物理的
手段を意味するものではなく、その「部」や「手段」、「装置」、「システム」が有する
機能をソフトウェアによって実現する場合も含む。また、１つの「部」や「手段」、「装
置」、「システム」が有する機能が２つ以上の物理的手段や装置により実現されても、２
つ以上の「部」や「手段」、「装置」、「システム」の機能が１つの物理的手段や装置に
より実現されても良い。
【発明の効果】
【００１１】
本発明によれば、携帯端末を用いた自宅等の監視及び制御を簡易に行うことが可能な技
術を提供することができる。
【図面の簡単な説明】
【００１２】
【図１】実施形態に係る機器管理システムの概要を示す図である。
【図２】実施形態に係る機器管理システムの構成例を示す図である。
【図３】管理装置の外観を示す図である。
【図４】管理装置の装置構成の具体例を示す図である。
【図５】制御サーバの機能構成の具体例を示す図である。
【図６】管理用アプリケーションの機能構成の具体例を示す図である。
【図７】実施形態に係る機器管理システムの処理の流れ（その１）を示すシーケンス図である。
【図８】実施形態に係る機器管理システムの処理の流れ（その２）を示すシーケンス図である。
【図９】管理用アプリケーションの画面表示例を示す図である。
【図１０】制御サーバのハードウェア構成の具体例を示す図である。
【図１１】ユーザ端末のハードウェア構成の具体例を示す図である。
【発明を実施するための形態】
【００１３】
添付図面を参照して、本発明の好適な実施形態について説明する。なお、各図において
、同一の符号を付したものは、同一又は同様の構成を有する。
【００１４】
＜システム構成＞
以下、図面を参照して本発明の実施形態を説明する。ただし、以下に説明する実施形態
は、あくまでも例示であり、以下に明示しない種々の変形や技術の適用を排除する意図は
ない。即ち、本発明は、その趣旨を逸脱しない範囲で種々変形して実施することができる
。また、以下の図面の記載において、同一または類似の部分には同一または類似の符号を
付して表している。図面は模式的なものであり、必ずしも実際の寸法や比率等とは一致し
ない。図面相互間においても互いの寸法の関係や比率が異なる部分が含まれていることが
ある。
【００１５】
図１乃至図１１は、実施形態を説明するための図である。以下、これらの図を参照しな
がら、以下の流れに沿って実施形態を説明する。まず「１」で実施形態に係る機器管理シ
ステムの構成を説明する。続いて「２」で機器管理システムに含まれる管理装置の外観や
機能等について説明する。「３」では、制御サーバについて、「４」では管理用アプリケ
ーションについて説明する。「５」では機器管理システムにおける処理の流れを説明する
。「６」では機器管理システムを構成する各機器を実現可能なハードウェア構成の具体例
を説明する。最後に「７」以降で、本実施形態に係る効果などを説明する。
【００１６】
（１．  システム構成）
まず、図１を参照しながら、実施形態に係る機器管理システム１の概要を説明する。機
器管理システム１は、制御サーバ１０と、ユーザ端末２０と、管理装置３０と、管理対象
機器４０とを含む。図１には管理対象機器４０が複数図示されているが、１つの管理装置
３０に接続される管理対象機器４０は１つであってもよい。
【００１７】
各々の管理範囲Ｔには、管理装置３０、１以上の管理対象機器４０及び１以上のユーザ
端末２０が含まれる。管理範囲Ｔは、管理装置３０が管理対象とする管理対象機器４０の
範囲を示している。管理範囲Ｔは、例えば、管理装置３０が設置された建物内などに対応
するが、これに限定されるものではない。
【００１８】
管理装置３０は、管理装置３０が設置された管理範囲Ｔの中に存在する管理対象機器４
０の管理（監視及び制御）を行う装置である。制御サーバ１０は、各管理範囲Ｔの中に設
置される管理装置３０を利用するユーザのユーザ登録、及び管理装置３０の管理（監視及
び制御）を行う装置である。
【００１９】
ユーザ端末２０は、管理装置３０を利用するユーザが使用する端末であり、管理装置３
０と近距離無線通信を用いて直接通信することで、管理装置３０及び管理対象機器４０の
監視及び制御を行うユーザＩＦ（Interface）としての役割を担う。また、ユーザ端末２
０は、管理装置３０と近距離無線通信を用いた通信ができない場合など、必要に応じて制
御サーバ１０と通信することも可能である。また、ユーザ端末２０は、無線ＬＡＮを使用
して管理装置３０と通信することも可能である。
【００２０】
次に、図２を参照しながら、実施形態に係る機器管理システム１の構成例及び処理の概
要を説明する。図２に示す機器管理システム１は、更に、ＩｏＴ（Internet of Things）
機器５０と、ＩｏＴサーバ６０とを含む。図２の構成例のうち管理装置３０、管理対象機
器４０及びＩｏＴ機器５０は、ユーザＵの自宅（以下、単に「ユーザ宅」と言う。）に設
置されている前提である。当該ユーザ宅は、図１における１つの管理範囲Ｔに該当する。
ユーザ端末２０は、ユーザＵが操作する例えば携帯型の携帯端末である。
【００２１】
制御サーバ１０と、ユーザ端末２０と、管理装置３０と、管理対象機器４０とは、通信
ネットワークＮ１及び通信ネットワークＮ２を介して相互に通信可能である。また、Ｉｏ
Ｔ機器５０とＩｏＴサーバ６０とは、通信ネットワークＮ１及び通信ネットワークＮ２を
介して相互に通信可能である。また、制御サーバ１０とＩｏＴサーバ６０とは、通信ネッ
トワークＮ１を介して相互に通信可能である。
【００２２】
ここで、図２の例では、ユーザ端末２０及び管理対象機器４０がそれぞれ１台しか示し
ていないが、ユーザ端末２０及び／又は管理対象機器４０を複数台含むことが可能である
。また、ユーザ端末２０は、管理装置３０との間で、通信ネットワークＮ１及び通信ネッ
トワークＮ２を介さない、例えばＢｌｕｅｔｏｏｔｈ（登録商標）等による直接の近距離
無線通信を行うことが可能である。
【００２３】
機器管理システム１において管理装置３０は、ユーザ宅に設置された各種の家電等の管
理対象機器４０の管理を行う。管理対象機器４０はどのような機器であってもよいが、例
えば、エアコン（Air Conditioner）、電気給湯器（Electric water heater）、家庭用太
陽光発電システム（Household solar power generation system）、燃料電池（Fuel cell
）、蓄電池（Storage battery）、電気自動車の充放電器（Electric vehicle charger-di
scharger）、照明装置（Lighting）、スマートメータ（Smart Meter）等が挙げられる。
管理装置３０は、管理対象機器４０から、“管理対象機器４０の動作状態に関する情報”
を収集して制御サーバ１０に送信する。
【００２４】
また、管理装置３０は、ユーザ宅内の環境に関する情報（以下、「環境情報」と言う）
として、温度、湿度、照度、浮遊粉塵（浮遊ダスト）の量、ＴＶＯＣ量（総揮発性有機化
合物、Total Volatile Organic Compounds）、ＣＯ２濃度及び気圧等を測定する複数のセ
ンサを備えると共に、それらのセンサにより測定された環境情報を制御サーバ１０へと送
信する。以下の説明では、環境情報及び“管理対象機器４０の動作状態に関する情報”の
両方又は少なくとも一方を含む情報を、「管理情報」と呼ぶ。
【００２５】
制御サーバ１０は、複数の異なるユーザ宅に設置された各管理装置３０から、各々のユ
ーザ宅に関する環境情報、及び各々のユーザ宅に設置された管理対象機器４０の動作状態
に関する情報を収集し、収集した情報（管理情報）をデータベースに蓄積する。また、制
御サーバ１０は、管理装置３０を自宅に設置したユーザＵのユーザ登録を行う機能や、蓄
積した管理情報を統計的に分析する機能を備える。
【００２６】
ユーザ端末２０には、管理情報の表示、及び、管理対象機器４０を監視及び制御するた
めの管理用アプリケーション（以下、「管理用アプリ」と言う。）がインストールされて
おり、ユーザＵは当該管理用アプリを実行することにより、制御サーバ１０や管理装置３
０に対する各種設定を行うことができる。一方で、管理装置３０は起動／リセット用の以
外の操作ボタンを実装しない。管理対象機器４０の動作状態に関する情報の表示や、管理
対象機器４０に対して行う制御の受付等についてはユーザ端末２０側で行う。ユーザ端末
２０は、例えばいわゆるスマートフォンと呼ばれる携帯電話や、タブレット型端末、ＰＤ
Ａ（Personal Digital Assistant）等により実現することができる。
【００２７】
ここで、管理装置３０が制御サーバ１０と通信するためには、例えば管理装置３０が無
線ＬＡＮ又は有線ＬＡＮへ接続するための接続設定（例えばＳＳＩＤ及びパスワードの設
定）等を管理装置３０に対して登録する必要がある。本実施形態では、例えば携帯電話で
あるユーザ端末２０から、無線ＬＡＮ又は有線ＬＡＮに接続したり、ユーザ登録をしたり
するための通信設定を管理装置３０に対して行う。
【００２８】
通信ネットワークＮ１は、有線ネットワーク及び無線ネットワークから構成されるイン
ターネットであり、内部に公衆無線ＬＡＮのアクセスポイントや携帯電話の基地局等を含
むことができる。通信ネットワークＮ２は、有線ネットワーク及び無線ネットワークから
構成されるユーザ宅内の通信ネットワークであり、内部に無線ＬＡＮのアクセスポイント
やＬＡＮスイッチ等を含むことができる。
【００２９】
図２に示すように、本実施形態では、ユーザ端末２０及び管理装置３０が近距離無線を
介して通信する際の通信経路を、通信経路Ｒ１（第１通信経路）と呼ぶ。また、制御サー
バ１０及び管理装置３０が、通信ネットワークＮ１及び通信ネットワークＮ２を介して通
信する際の通信経路を、通信経路Ｒ２（第２通信経路）と呼ぶ。また、管理装置３０及び
管理対象機器４０が通信ネットワークＮ２を介して通信する際の通信経路を、通信経路Ｒ
３（第３通信経路）と呼ぶ。
【００３０】
また、ユーザ端末２０及び制御サーバ１０が通信する際の通信経路を、通信経路Ｒ４（
第４通信経路）と呼ぶ。より具体的には、通信ネットワークＮ１及び通信ネットワークＮ
２を介して通信する際の通信経路を通信経路Ｒ４ａと呼び、通信ネットワークＮ１を介し
て通信する際の通信経路を通信経路Ｒ４ｂと呼ぶ。すなわち、通信経路Ｒ４ａは、ユーザ
端末２０がユーザ宅内にいる場合で、かつ、管理装置３０との間で近距離無線通信を行っ
ていない場合に用いられる通信経路であり、通信経路Ｒ４ｂは、ユーザ端末２０がユーザ
宅の外にいる場合（つまり、ＬＴＥ（Long Term Evolution）等の移動通信網に接続して
いる場合）に用いられる通信経路である。また、ＩｏＴ機器５０及びＩｏＴサーバ６０が
通信ネットワークＮ１及び通信ネットワークＮ２を介して通信する際の通信経路を、通信
経路Ｒ５と呼ぶ。また、ＩｏＴサーバ６０及び制御サーバ１０が通信ネットワークＮ１を
介して通信する際の通信経路を、通信経路Ｒ６と呼ぶ。また、ユーザ端末２０及び管理装
置３０が通信ネットワークＮ２を介して通信する際の通信経路を、通信経路Ｒ７と呼ぶ。
【００３１】
管理装置３０は、管理対象機器４０の管理を容易に行えるようにするために、監視対象
である管理対象機器４０を管理装置３０に個別に登録するといった手順を行うことなく監
視・制御が可能なプロトコルを利用して、管理対象機器４０と通信するようにしてもよい
。このようなプロトコルの一例として、例えばＥＣＨＯＮＥＴ  Ｌｉｔｅ（登録商標）と
呼ばれるプロトコルを使用するようにしてもよい。なお、以下の説明では、管理装置３０
は、ＥＣＨＯＮＥＴ  Ｌｉｔｅ（登録商標）を利用して管理対象機器４０の監視及び制御
を行う前提とするが、本実施形態がこれに限定されることを意図しているのではない。管
理装置３０と管理対象機器４０との間ではどのようなプロトコルが用いられてもよい。
【００３２】
ＩｏＴ機器５０は、サードパーティー（3rd Party）が提供するサービスを利用するた
めの機器である。ＩｏＴサーバ６０は、当該サードパーティーが提供するサーバであり、
ＩｏＴ機器５０は、ＩｏＴサーバ６０と連携してユーザにサービスを提供する。ＩｏＴ機
器５０は、どのような機器でもよいが、例えば、ユーザの問いかけに対して音声等で応答
するＡＩ（Artificial Intelligence）スピーカー等が挙げられる。ＩｏＴサーバ６０は
、ＩｏＴ機器５０を利用して外部装置の操作等を行うことが可能な外部連携ＡＰＩ（Appl
ication Programmable Interface）を提供しており、制御サーバ１０は、当該ＡＰＩを利
用することで、ＩｏＴ機器５０に入力されたユーザの問いかけに対して、管理情報の内容
をＩｏＴ機器５０から応答させることを実現する。また、ユーザがＩｏＴ機器５０に音声
を入力することで、管理対象機器４０の操作を音声で行うことが可能な機能をユーザに提
供する。
【００３３】
（２．  管理装置３０）
図３及び図４を参照しながら、以下、管理装置３０の外観や機能等について説明する。
【００３４】
（２．１  管理装置３０の外観）
まず、図３を参照しながら、管理装置３０の外観を説明する。図３は、管理装置３０の
外観を示す図である。
【００３５】
管理装置３０は、筐体３０１と、ＬＥＤインジケータ３０２と、表示装置３５０と、光
センサ３６３と、ダストセンサ３６４とから構成される。光センサ３６３及びダストセン
サ３６４以外のセンサは、筐体３０１の内部に格納されている。ＬＥＤインジケータ３０
２は、電源の状態や各センサの稼働状況など、主に、管理装置３０本体の動作状態をユー
ザに通知する。表示装置３５０は、ＬＥＤが複数配置されており、これら複数のＬＥＤの
点灯／消灯を切り換えることにより表示装置３５０は全体として表示機能を実現する。例
えば、表示装置３５０には、時刻や天気、ユーザ宅内の状態等をアイコンや文字で表示す
ることができる。
【００３６】
光センサ３６３は、筐体３０１の上面（表示装置３５０が存在する面）に対して斜めに
取り付けられている。管理装置３０は、床に設置するのみならず、壁掛けとすることも可
能であることから、光センサ３６３を斜めに取り付けることで、管理装置３０の設置方法
によってユーザ宅内の照度の測定結果が大きく変化してしまうことを抑制している。
【００３７】
（２．２．  管理装置３０の装置構成）
次に、図４を参照しながら、管理装置３０の装置構成を説明する。管理装置３０は、図
４に示すように、プロセッサ３００と、通信ＩＦ（Interface）３４０と、表示装置３５
０と、センサ３６０と、記憶装置３７０とを含む。
【００３８】
プロセッサ３００は、例えばＣＰＵ（Central Processing Unit）等の管理装置３０内
の各機能を統合制御するための装置である。通信ＩＦ３４０は、例えばＢｌｕｅｔｏｏｔ
ｈ（登録商標）等の近距離通信によりユーザ端末２０と通信する近距離通信ＩＦ３４１と
、通信ネットワークＮ２に接続するインタフェースである、有線／無線ＬＡＮ通信ＩＦ３
４３を含むことができる。
【００３９】
近距離通信ＩＦ３４１は、Ｂｌｕｅｔｏｏｔｈ（登録商標）等の近距離無線によりユー
ザ端末２０に接続するための通信インタフェースである。近距離通信ＩＦ３４１は、例え
ば起動に伴い、管理装置３０に割り当てられた識別情報をビーコン信号として周囲の装置
に対して送信する。有線／無線ＬＡＮ通信ＩＦ３４３は、通信ネットワークＮ２に接続す
るため通信インタフェースである。具体的には、有線／無線ＬＡＮ通信ＩＦ３４３は、無
線ＬＡＮに接続する機能及び有線ＬＡＮであるイーサネット（登録商標）（Ethernet）に
接続する機能を有する。
【００４０】
センサ３６０は、管理装置３０がユーザ宅内を測定するための各種センサを含む。セン
サ３６０は、温度センサ３６１、湿度センサ３６２、光センサ３６３、ダストセンサ３６
４、ＴＶＯＣセンサ３６５、ＣＯ２センサ３６６及び気圧センサ３６７を含む。しかしな
がら、センサ３６０が備えるセンサはこれらに限られるものではなく、ユーザ宅内を測定
するためのその他のセンサを備えても良い。センサ３６０で検出された各種数値は、管理
装置３０が設置された場所（ユーザ宅内）の環境情報として、管理装置３０内に格納され
ると共に制御サーバ１０へ送信される。
【００４１】
温度センサ３６１は、管理装置３０が設置された室内の温度を計測する。湿度センサ３
６２は、管理装置３０が設置された室内の湿度を計測する。光センサ３６３は、管理装置
３０が設置された室内の照度を計測する。ダストセンサ３６４は、管理装置３０が設置さ
れた室内を浮遊する粉塵の量を計測する。ＴＶＯＣセンサ３６５は、管理装置３０が設置
された室内に存在する、ホルムアルデヒド等の総揮発性有機化合物の量を測定する。ＣＯ
２センサ３６６は、管理装置３０が設置された室内の二酸化酸素の含有率を測定する。気
圧センサ３６７は、管理装置３０が設置された室内の気圧を測定する。
【００４２】
記憶装置３７０は、メモリ及びＳＳＤ（Solid State Drive）又は、ｅＭＭＣ（embedde
d Multi Media Card）等から構成され、管理装置３０が管理する管理情報３７３を格納す
る。前述したように、管理情報３７３には、管理装置３０が収集した管理対象機器４０の
動作状態に関する情報と、センサ３６０で収集した、管理装置３０が設置された場所（ユ
ーザ宅内）の環境情報との両方又は少なくとも一方が含まれる。
【００４３】
プロセッサ３００は、記憶装置３７０に記憶されたプログラムを実行することにより、
通信部３１０、管理部３２０及び表示制御部３３０が備える各機能を実現する。当該プロ
グラムは、記憶媒体に格納することができる。当該プログラムを格納した記憶媒体は、非
一時的な記憶媒体であってもよい。非一時的な記憶媒体は特に限定されないが、例えば、
ＵＳＢメモリ又はＣＤ−ＲＯＭ等の記憶媒体であってもよい。また、ＤＢ３７１は、記憶
装置３７０を利用することで実現可能である。
【００４４】
通信部３１０は、端末通信部３１１及び制御サーバ通信部３１３を含む。端末通信部３
１１は、ユーザ端末２０と管理装置３０との間で通信経路（通信経路Ｒ１）を確立する処
理、及び、確立された通信路を用いてデータの送受信を行う処理を行う。また、端末通信
部３１１は、管理装置３０自身に割り当てられた識別情報をユーザ端末２０に向けて送信
し、当該識別情報を受信したユーザ端末２０から接続要求を受けることで、ユーザ端末２
０と管理装置３０との間で通信経路Ｒ１による無線接続を行う。なお、管理装置３０自身
に割り当てられた識別情報とは、Ｂｌｕｅｔｏｏｔｈ（登録商標）等の近距離無線通信で
用いられる、ユーザ端末２０を一意に特定するためのＩＤ（例えば、MACアドレス等）で
あってもよい。なお、端末通信部３１１を、「接続手段」又は「接続部」と称してもよい
。
【００４５】
制御サーバ通信部３１３は、制御サーバ１０と管理装置３０との間で通信経路（通信経
路Ｒ２）を確立する処理、及び、確立された通信路を用いてデータの送受信を行う処理を
行う。また、制御サーバ通信部３１３は、通信経路Ｒ１による無線接続を介したユーザ端
末２０からの指示に応じて、制御サーバ１０との間で通信経路Ｒ２により通信を行うため
の通信設定を行う。当該通信設定とは、例えば、通信ネットワークＮ２に含まれる無線Ｌ
ＡＮアクセスポイント又は有線ＬＡＮへの接続設定である。なお、制御サーバ通信部３１
３を、「設定部」又は「設定手段」と称してもよい。
【００４６】
管理部３２０は、管理対象機器４０の動作状態を通信経路Ｒ３により収集する。また、
管理部３２０は、センサ３６０により検出された環境情報を収集する。管理部３２０は、
管理対象機器４０の動作状態及び／又は環境情報を含む管理情報３７３を、制御サーバ通
信部３１３を介して、通信経路Ｒ２により制御サーバ１０に送信する。また、ユーザ端末
２０からの要求を受けた場合に、管理対象機器４０の動作状態及び／又は環境情報を含む
管理情報３７３を、通信経路Ｒ１によりユーザ端末２０に送信する。また、管理部３２０
は、ユーザ端末２０又は制御サーバ１０からの指示に基づいて、管理対象機器４０の各々
を制御するための制御情報（制御メッセージ）を、ユーザ端末２０から指定された管理対
象機器４０に対して通信経路Ｒ３により送信する。管理部３２０は、ＥＣＨＯＮＥＴ  Ｌ
ｉｔｅ（登録商標）をサポートしており、ＥＣＨＯＮＥＴ  Ｌｉｔｅ（登録商標）を用い
て、管理対象機器４０の動作状態の収集、及び制御情報の送信を行う。
【００４７】
また、管理部３２０は、センサ３６０から収集した環境情報に基づいて、管理対象機器
４０を制御する必要があるか否かを判定し、管理対象機器４０を制御する必要があると判
定した場合に、制御情報を当該管理対象機器４０に対して通信経路Ｒ３により送信するよ
うにしてもよい。例えば、管理部３２０は、温度センサ３６１で計測された部屋の室温が
所定の閾値以上であることを検出した場合に、エアコンである管理対象機器４０に対して
冷房をオンにするように制御してもよい。
【００４８】
なお、本実施形態では、管理装置３０は、制御サーバ通信部３１３が制御サーバ１０と
の間で通信経路Ｒ２により通信を行うための通信設定が完了すると、制御サーバ１０との
間で通信を行うことが可能になる。従って、管理部３２０は、管理装置３０と制御サーバ
１０との間で通信を行うための通信設定が完了した後、制御サーバ１０に管理情報３７３
を送信する処理を開始するようにしてもよい。
【００４９】
表示制御部３３０は、通信経路Ｒ１を介して通信するユーザ端末２０のディスプレイに
表示させる画面の内容や、表示装置３５０に表示させるアイコンの内容等を制御する。
【００５０】
（３．  制御サーバ１０）
続いて、図５を参照しながら、制御サーバ１０の機能について説明する。図５は、制御
サーバ１０の機能構成の具体例を示す機能ブロック図である。制御サーバ１０は、管理装
置制御部１１０、ユーザ登録部１２０、ユーザ端末制御部１３０、ＩｏＴ機器連携部１４
０及びデータベース（ＤＢ）１５０を含む。データベース（ＤＢ）１５０には、ユーザ情
報１５１及び管理情報１５３が格納される。
【００５１】
管理装置制御部１１０は、管理装置３０との間で通信経路Ｒ２を用いて通信することで
、管理装置３０に対する制御を行う。管理装置制御部１１０は、制御指示部１１１、管理
情報管理部１１３を含む。
【００５２】
制御指示部１１１は、管理装置３０に対して、管理対象機器４０を制御するように指示
する。制御指示部１１１は、後述する制御指示受付部１３５により受け付けたユーザ端末
２０からの指示に基づいて、管理対象機器４０を制御するように指示してもよい。若しく
は、制御指示部１１１は、管理装置３０から取得した管理情報１５３に含まれる環境情報
に基づいて、管理対象機器４０を制御する必要があるか否かを自動判定し、管理対象機器
４０を制御する必要があると判定した場合に、管理対象機器４０を制御するように指示し
てもよい。例えば、制御指示部１１１は、環境情報に含まれる部屋の室温が所定の閾値以
上であることを検出した場合に、エアコンである管理対象機器４０に対して冷房をオンに
するように管理装置３０に指示するようにしてもよい。
【００５３】
管理情報管理部１１３は、管理装置３０から管理情報１５３を取得し、取得した管理情
報１５３をＤＢ１５０に格納する。ここで、管理情報管理部１１３が受信する管理情報１
５３には、前述したように、管理対象機器４０の動作状態に関する情報や、管理装置３０
が設置された場所の環境情報が含まれる。
【００５４】
また、管理情報管理部１１３は、ＤＢ１５０に格納した管理情報１５３を分析し、必要
に応じて、ユーザＵに通知すべき情報を生成して状態通知部１３３に渡す。分析部１１５
が行う分析とは、現時点における管理情報１５３を分析することのみならず、１つの管理
装置３０から収集した管理情報１５３における過去から現在までの変化を統計的に分析す
ることや、制御サーバ１０に接続された複数の管理装置３０から収集された管理情報１５
３を横断的に分析すること等を含む。ユーザＵに通知すべき情報とは、例えば、管理対象
機器４０であるエアコンの使用量が、ユーザＵ宅における前年度の使用量と比較して著し
く多いといった分析結果や、管理対象機器４０であるエアコンの使用量が、他のユーザの
平均と比較して著しく多いといった分析結果等であってもよい。
【００５５】
ユーザ登録部１２０は、後述するユーザ情報取得部１３１がユーザ端末２０から受信し
た、管理装置３０の識別情報及びユーザＵを識別する情報を含むユーザ情報１５１をＤＢ
１５０に登録する。すなわち、ＤＢ１５０には、管理装置３０を自宅で利用するためにユ
ーザ登録を行うユーザＵを識別する情報と、当該ユーザＵが自宅に設置した管理装置３０
の識別情報とが対応づけられて登録される。
【００５６】
ＤＢ１５０には、製造又は出荷済みの全ての管理装置３０の識別情報が記録されたリス
トが格納されている。ユーザ登録部１２０は、ユーザ情報１５１をＤＢ１５０に登録する
前に、ユーザ端末２０から受信した管理装置３０の識別情報が当該リストに含まれている
か否かを確認するようにしてもよい。ユーザ端末２０から受信した管理装置３０の識別情
報が、当該リストに含まれていない場合、不正な管理装置３０であるとみなして、ユーザ
情報１５１の登録を拒否するようにしてもよい。
【００５７】
ユーザ端末制御部１３０は、ユーザ端末２０との間で通信することで、ユーザ端末２０
に対する制御を行う。ユーザ端末制御部１３０は、ユーザ情報取得部１３１、状態通知部
１３３、及び制御指示受付部１３５を含む。
【００５８】
ユーザ情報取得部１３１は、ユーザ端末２０から、通信経路Ｒ４ａ又は通信経路Ｒ４ｂ
によりユーザ情報１５１を受信し、受信したユーザ情報１５１をユーザ登録部１２０に渡
す。ユーザ端末２０から受信するユーザ情報１５１には、管理装置３０の識別情報及びユ
ーザＵを識別する情報が含まれる。ユーザ情報１５１には、更に、管理装置３０と通信す
るためのＩＰアドレス（管理装置３０のＩＰアドレス）等を含んでいてもよい。この他、
ユーザ情報１５１には、ユーザ端末２０に割り当てられた識別情報等を含んでもよい。
【００５９】
状態通知部１３３は、管理情報管理部１１３が受信した管理情報１５３を、通信経路Ｒ
ａ、通信経路Ｒ４ｂ又は通信経路Ｒ２によりユーザ端末２０に通知する。状態通知部１３
３が管理情報１５３をユーザ端末２０に通知するタイミングは、例えばユーザＵが操作す
るユーザ端末２０からの要求を受けたタイミングであってもよい。また、状態通知部１３
３は、管理情報管理部１１３により管理情報１５３を分析すること等により得られた、ユ
ーザに通知すべき情報をユーザ端末２０に通知するようにしてもよい。
【００６０】
制御指示受付部１３５は、ユーザ端末２０から、管理対象機器４０の制御に関する指示
を受け付け、受け付けた制御の内容を制御指示部１１１に通知する。例えば、管理対象機
器４０がエアコンである場合に、エアコンのスイッチをオン／オフを切り替えるとの指示
をユーザ端末２０から受け付けることが考えられる。このような指示を受け付けた場合、
制御指示受付部１３５は当該指示を制御指示部１１１に通知し、制御指示部１１１は、管
理装置３０に対してエアコンである管理対象機器４０のスイッチをオン／オフするように
指示する。
【００６１】
ＩｏＴ機器連携部１４０は、指示受付部１４１と、管理情報通知部１４３とを含む。指
示受付部１４１は、ＩｏＴ機器５０に入力された、管理対象機器４０の制御に関する指示
をＩｏＴサーバ６０から受け付ける。また、ＩｏＴ機器連携部１４０は、受け付けた制御
の内容を、制御指示部１１１に通知する。制御指示部１１１は、管理装置３０に対して管
理対象機器４０を制御するように指示する。
【００６２】
管理情報通知部１４３は、ＤＢ１５０に格納された管理情報１５３を、ＩｏＴサーバ６
０を介してＩｏＴ機器５０に通知する。管理情報通知部１４３が管理情報１５３を通知す
るタイミングは、例えば、ＩｏＴ機器５０からＩｏＴサーバ６０を介して管理情報の照会
を受けた場合であってもよい。
【００６３】
（４．  管理用アプリケーション２００）
次に、図６を参照しながら、本実施形態に係るユーザ端末２０にインストールされる管
理用アプリ２００の機能構成を説明する。管理用アプリ２００は、表示制御部２１０、入
力部２２０、管理装置接続部２３０、管理装置設定部２４０、ユーザ情報登録部２５０、
管理情報取得部２６０、制御指示部２７０、報知部２８０及びデータベース（ＤＢ）２９
０を含む。ＤＢ２９０は、ユーザ情報２９１を、管理用アプリ２００が管理する記憶領域
上に格納する。
【００６４】
表示制御部２１０は、ユーザ端末２０のディスプレイに対する表示を制御する。例えば
、管理装置３０に対する各種設定や、制御サーバ１０に対する各種設定を行うための設定
画面を表示制御部２１０はディスプレイに表示させる。また、制御サーバ１０又は管理装
置３０から受信した、管理対象機器４０の動作状態に関する情報や管理装置３０により計
測された環境情報を含む管理情報も、表示制御部２１０がディスプレイに表示することが
できる。この他、制御サーバ１０又は管理装置３０がユーザに通知すべきと判定した情報
をユーザ端末２０が受信した場合、表示制御部２１０はディスプレイに当該情報を表示す
る。この他、管理装置３０及び管理対象機器４０を制御するためのＧＵＩ（Ｇｒａｐｈｉ
ｃａｌ  Ｕｓｅｒ  Ｉｎｔｅｒｆａｃｅ）を構成する表示画面を表示制御部２１０はディ
スプレイに表示してもよい。
【００６５】
入力部２２０は、ユーザ端末２０に設けられた例えば操作ボタンやタッチパネル等への
ユーザＵからの入力操作を受け付け、関係する機能ブロックへ操作内容を伝達する。例え
ば管理装置３０が制御サーバ１０と通信するための通信設定や、ユーザ登録等のための操
作入力がなされた場合には、入力部２２０が管理装置設定部２４０や制御指示部２７０へ
その旨を伝達する。
【００６６】
管理装置接続部２３０は、管理装置３０との間で例えばＢｌｕｅｔｏｏｔｈ（登録商標
）等による近距離無線接続を行う。より具体的には、管理装置３０が発信する識別情報（
例えば、ＵＵＩＤ）を受信し、当該識別情報との接続を行ってもよい旨の操作入力がユー
ザＵからなされれば、管理装置接続部２３０は管理装置３０との間で無線接続を確立する
。その後、例えば管理装置設定部２４０が管理装置３０に対して行う通信や各種の設定は
、当該無線接続を介して行われる。
【００６７】
管理装置設定部２４０は、ユーザＵからの入力部２２０への操作入力に応じて、管理装
置３０の動作に必要な各種設定を行う。例えば、管理装置３０が通信ネットワークＮ２へ
接続するための無線アクセスポイントへの接続設定を、管理装置設定部２４０は管理装置
３０に対して行う。先述の通り、管理装置設定部２４０が管理装置３０に対して行う各種
設定には、管理装置接続部２３０が確立したＢｌｕｅｔｏｏｔｈ（登録商標）等の近距離
無線通信を用いることができる。
【００６８】
ユーザ情報登録部２５０は、ユーザＵから入力部２２０への操作入力に応じて、ユーザ
情報２９１の登録処理を行う。より具体的には、ユーザＵのＳＮＳ又はサードパーティー
が提供するサービスに係るアカウント情報であるユーザＩＤ（例えばメールアドレス）及
びパスワードの入力を入力部２２０から受けると、ユーザ情報登録部２５０は通信ネット
ワークＮ２を介してＳＮＳサーバ（図示せず）又はＩｏＴサーバ６０へアクセスし、当該
アカウント情報の有効性を確認する。アカウント情報の有効性が確認されると、ユーザ情
報登録部２５０は、ユーザＵを識別する情報と、管理装置接続部２３０が取得した管理装
置３０の識別情報とを、通信経路Ｒ４ａを用いて、ユーザ情報２９１として制御サーバ１
０へと送信する。また、当該ユーザ情報２９１をＤＢ２９０へ登録する。ここで、ユーザ
Ｕを識別する情報は、具体的には、ユーザＵのＳＮＳ又はサードパーティーが提供するサ
ービスに係るユーザＩＤ（例えばメールアドレス）であってもよい。
【００６９】
当該ユーザ情報２９１の登録処理において管理用アプリ２００は、ユーザ情報２９１に
含まれるＳＮＳ上でのアカウント情報の有効性を確認しているため、管理用アプリ２００
は、例えばユーザ端末２０のスクリーンキャプチャ画像をＳＮＳへ投稿する等の処理を行
うことも可能である。
【００７０】
管理情報取得部２６０は、管理装置３０と近距離無線通信を確立している場合、管理装
置３０から、通信経路Ｒ１を用いて管理情報を取得する。また、管理情報取得部２６０は
、管理装置３０と近距離無線通信を確立していない場合、制御サーバ１０から、通信経路
Ｒ４ａ又は通信経路Ｒ４ｂを用いて管理情報を取得する。
【００７１】
制御指示部２７０は、ユーザＵから管理対象機器４０に対する制御の指示を受け付け、
管理装置３０と近距離無線通信を確立している場合は、受け付けた制御の内容を、通信経
路Ｒ１を用いて管理装置３０に通知する。もし、管理装置３０と近距離無線通信を確立し
ていない場合は、制御指示部２７０は、受け付けた制御の内容を、通信経路Ｒ４ａ又は通
信経路Ｒ４ｂを用いて制御サーバ１０に通知する。
【００７２】
報知部２８０は、制御サーバ１０からの要求に応じて、ユーザに通知すべき情報をユー
ザＵに報知する。例えば、管理対象機器４０であるエアコンの使用量が当該ユーザにおけ
る昨年度の使用量と比較して著しく多いといった情報や、他のユーザの平均よりも著しく
多いといった情報をユーザＵに報知する。ユーザＵは、このような報知を受けることで、
エアコンのスイッチをこまめにオフにするといった対応を行うことができる。
【００７３】
（５．  処理の流れ）
（５．１  管理情報の表示及び管理対象機器の制御）
以下、機器管理システム１における処理の流れを、図７及び図８を参照しながら説明す
る。図７は、本実施形態に係る機器管理システム１の処理の流れ（その１）を示すシーケ
ンス図である。図７は、管理装置３０が起動され、管理情報を収集して制御サーバ１０に
通知するまでの処理手順を示している。
【００７４】
なお、後述の各処理ステップは、処理内容に矛盾を生じない範囲で、任意に順番を変更
して若しくは並列に実行することができ、また、各処理ステップ間に他のステップを追加
しても良い。更に、便宜上１つのステップとして記載されているステップは複数のステッ
プに分けて実行することもでき、便宜上複数に分けて記載されているステップを１ステッ
プとして実行することもできる。
【００７５】
管理装置３０が例えば電源に接続されたり、若しくは管理装置３０の起動ボタンが押下
されたりすることにより管理装置３０が起動すると、管理装置３０は、自装置の識別情報
（ＵＵＩＤ）を含むビーコン信号の送信を開始する（Ｓ７０１）。ユーザ端末２０の管理
用アプリ２００はビーコン信号を受信すると、受信したビーコン信号に含まれる識別情報
をディスプレイに表示することにより、ユーザＵからＢｌｕｅｔｏｏｔｈ（登録商標）通
信の接続対象の機器選択をユーザＵに促す。当該画面においてユーザＵから管理装置３０
を接続対象の機器とする入力を受けると（Ｓ７０３）、管理用アプリ２００は管理装置３
０との間で無線接続を確立するためのペアリング処理を行う（Ｓ７０５）。
【００７６】
ユーザ端末２０と管理装置３０との間の無線接続が確立すると、管理用アプリ２００は
管理装置３０に対する設定すべき情報の入力を促す表示画面をディスプレイ上に表示する
。まず、管理用アプリ２００は、ユーザＵがＳＮＳ又はサードパーティーが提供するサー
ビスに係るアカウント情報（ユーザＩＤ（例えばメールアドレス）及びパスワード）の入
力を受ける（Ｓ７０７）。管理用アプリ２００は、入力を受けたアカウント情報の有効性
をＳＮＳサーバ又はＩｏＴサーバ６０に問合せることにより、ユーザＵの認証を行う（Ｓ
７０９）。その結果、アカウント情報の有効性が確認されれば、管理用アプリ２００は、
Ｓ７０３において接続対象として入力された管理装置３０の識別情報及びユーザＵを識別
する情報（ＳＮＳ又はサードパーティーのサービスに係るユーザＩＤ（例えばメールアド
レス））を含むユーザ情報２９１を制御サーバ１０へと登録する（Ｓ７１１）。
【００７７】
制御サーバ１０は、ユーザ端末２０から受信したユーザＵを識別する情報及び管理装置
３０の識別情報をユーザ情報１５１としてＤＢ１５０に登録する（Ｓ７１３）。登録が完
了すれば、その旨を制御サーバ１０はユーザ端末２０へ通知する（Ｓ７１５）。
【００７８】
また、管理用アプリ２００は、管理装置３０が有線ＬＡＮ又は無線ＬＡＮに接続するた
めの設定情報の入力をユーザＵから受ける（Ｓ７１７）。管理用アプリ２００は当該設定
情報を用いて、管理装置３０に対してＢｌｕｅｔｏｏｔｈ（登録商標）通信を介して有線
ＬＡＮ又は無線ＬＡＮへ接続するための設定を行う（Ｓ７１９）。有線ＬＡＮ又は無線Ｌ
ＡＮへ接続するための設定とは、例えば、ＳＳＩＤの選択、暗号キーの入力、管理装置３
０のＩＰアドレスの設定、ＤＨＣＰ利用設定等である。
【００７９】
有線ＬＡＮ又は無線ＬＡＮの設定が完了すると、管理装置３０は、インターネットへア
クセス可能になる。管理装置３０には、制御サーバ１０のＵＲＬが予め設定されており、
管理装置３０は、当該ＵＲＬにアクセスすることで制御サーバ１０との間で通信を開始す
ることができる。
【００８０】
また、制御サーバ１０は、ＩｏＴサーバ６０に接続するためのアカウント情報（ＩＤ及
びパスワード）を、ＩｏＴサーバ６０に送信する（Ｓ７２５）。ＩｏＴサーバ６０で当該
アカウント情報が存在することの確認がなされると、ＩｏＴサーバ６０は、制御サーバ１
０に認証が成功したことを通知すると共に、制御サーバ１０に対して、ＩｏＴサーバ６０
が提供する外部連携ＡＰＩの利用を許可する（Ｓ７２７）。
【００８１】
ユーザ登録が終了すると、管理装置３０は、管理装置３０が備える各センサ３６０を用
いて、管理装置３０が設置される宅内の計測を行うことで、環境情報を収集する（Ｓ７３
１）。管理装置３０は、環境情報の収集を所定の周期で行い、収集した環境情報を含む管
理情報３７３を時系列で記憶装置３７０に格納するようにしてもよい。
【００８２】
続いて、管理装置３０は、通信ネットワークＮ２に接続された管理対象機器４０を探索
するために、状態要求メッセージを通信ネットワークＮ２に送信する（Ｓ７３３）。状態
要求メッセージは、例えば、ＥＣＨＯＮＥＴ  Ｌｉｔｅ（登録商標）の仕様に規定されて
いるＧｅｔメッセージ（プロパティ値読出し要求）に、宛先アドレスとして当該仕様で規
定されているマルチキャストアドレスを指定したものである。状態要求メッセージは、通
信ネットワークＮ２に接続された全ての管理対象機器４０に一斉同報される。
【００８３】
状態要求メッセージを受信した各々の管理対象機器４０は、管理装置３０に対して応答
メッセージを送信する（Ｓ７３５）。状態応答メッセージは、例えば、ＥＣＨＯＮＥＴ  
Ｌｉｔｅ（登録商標）の仕様に規定されているＧｅｔ＿Ｒｅｓメッセージ（プロパティ値
読出し応答）である。状態応答メッセージには、管理対象機器４０の動作状態（プロパテ
ィ）に加えて管理対象機器４０の種別を示す情報（クラス）が含まれており、管理装置３
０は、当該情報に基づいて、管理対象機器４０がエアコンであるのか照明装置であるのか
スマートメータであるのかといった識別を行うことができる。管理装置３０は、応答メッ
セージを受信した管理対象機器４０を、管理対象の管理対象機器４０として記憶しておく
。
【００８４】
また、管理対象機器４０は、管理装置３０に対して、自身の動作状態（プロパティ）を
示す通知メッセージを自発的に送信することができる（Ｓ７３７）。通知メッセージは、
例えば、ＥＣＨＯＮＥＴ  Ｌｉｔｅ（登録商標）の仕様に規定されているＩＮＦメッセー
ジ（プロパティ値通知）である。管理対象機器４０は、例えば、自身の動作状態が変化し
た場合に通知メッセージを管理装置３０に送信することができる。自身の動作状態が変化
した場合とは、例えば、ユーザが、直接リモコンを用いてエアコンである管理対象機器４
０の温度設定を調整した場合などである。この場合、管理装置３０側で把握されている管
理対象機器４０の動作状態と、管理対象機器４０の実際の動作状態が不一致になることを
避けるために、管理対象機器４０は、通知メッセージを自ら管理装置３０に送信する。通
知メッセージは、必要に応じて管理対象機器４０から管理装置３０に適宜送信される。
【００８５】
続いて、管理装置３０は、Ｓ７３１で収集した環境情報と、Ｓ７３５又はＳ７３７で収
集した管理対象機器４０の動作状態を含む管理情報を、制御サーバ１０に送信する（Ｓ７
３９）。Ｓ７３９の処理手順は、管理装置３０が、環境情報又は管理対象機器４０の動作
状態の変化を検出した場合に適宜行われる。
【００８６】
図８は、本実施形態に係る機器管理システム１の処理の流れ（その２）を示すシーケン
ス図である。図８は、管理情報がユーザ端末２０の画面に表示される際の処理手順及びユ
ーザ端末２０又はＩｏＴ機器５０から管理対象機器４０を制御する際の処理手順を示して
いる。
【００８７】
まず、ユーザＵが管理用アプリ２００の画面にて管理情報の表示を選択するか、又は、
ユーザＵが管理用アプリ２００の画面にて所定の管理対象機器４０に対する操作を選択す
る。ユーザ端末２０及び管理装置３０が近距離無線通信を確立している場合、ユーザ端末
２０は、通信経路Ｒ１を用いて、管理情報要求メッセージ／制御要求メッセージを管理装
置３０に送信する（Ｓ８０１）。ユーザ端末２０及び管理装置３０が近距離無線通信を確
立していない場合、ユーザ端末２０は、通信経路Ｒ４ａ又は通信経路Ｒ４ｂを用いて、管
理情報要求メッセージ／制御要求メッセージを制御サーバ１０に送信する（Ｓ８０３）。
また、制御サーバ１０は、通信経路Ｒ２を用いて、ユーザ端末２０から受信した管理情報
要求メッセージ／制御要求メッセージを管理装置３０に送信する（Ｓ８０５）。なお、ユ
ーザ端末２０及び管理装置３０が近距離無線通信を確立していない場合、ユーザ端末２０
は、通信経路Ｒ７を用いて、管理情報要求メッセージ／制御要求メッセージを管理装置３
０に送信するようにしてもよい。
【００８８】
ユーザＵが管理用アプリ２００の画面にて所定の管理対象機器４０に対する操作を選択
した場合、管理装置３０は、ユーザから指示された所定の管理対象機器４０に対する操作
を実行するため、当該所定の管理対象機器４０に対して、ユーザから指示された制御の内
容を含む制御メッセージを送信する（Ｓ８０７）。制御メッセージは、例えば、ＥＣＨＯ
ＮＥＴ  Ｌｉｔｅ（登録商標）の仕様に規定されているＳｅｔメッセージ（プロパティ値
書込み要求）である。
【００８９】
制御メッセージを受信した各管理対象機器４０は、管理装置３０に対して制御応答メッ
セージを送信する（Ｓ８０９）。制御応答メッセージは、例えば、ＥＣＨＯＮＥＴ  Ｌｉ
ｔｅ（登録商標）の仕様に規定されているＳｅｔ＿Ｒｅｓメッセージ（プロパティ値書込
み応答）である。制御応答メッセージには、制御結果が含まれており、管理装置３０は、
制御の結果（例えば機器のスイッチがＯＮになった等）を把握することができる。
【００９０】
続いて、管理装置３０は、管理情報又は制御結果をユーザ端末２０に送信する。このと
き、ユーザ端末２０及び管理装置３０が近距離無線通信を確立していない場合、管理装置
３０は通信経路Ｒ２を用いて、管理情報応答メッセージ／制御応答メッセージを制御サー
バ１０に送信する（Ｓ８１１）。また、制御サーバ１０は、通信経路Ｒ４ａ又は通信経路
Ｒ４ｂを用いて、管理装置３０から受信した管理情報応答メッセージ／制御応答メッセー
ジをユーザ端末２０に送信する（Ｓ８１３）。ユーザ端末２０及び管理装置３０が近距離
無線通信を確立している場合、管理装置３０は、通信経路Ｒ１を用いて、管理情報応答メ
ッセージ／制御応答メッセージをユーザ端末２０に送信する（Ｓ８１５）。なお、ユーザ
端末２０及び管理装置３０が近距離無線通信を確立していない場合、管理装置３０は、通
信経路Ｒ７を用いて、管理情報応答メッセージ／制御応答メッセージをユーザ端末２０に
送信するようにしてもよい。
【００９１】
なお、Ｓ８０１〜Ｓ８１５に示す処理手順では、ユーザＵが管理用アプリ２００の画面
にて管理情報の表示を選択した場合、管理装置３０に格納されている管理情報３７３をユ
ーザ端末２０に送信するようにしたが、これに限定されない。例えば、ユーザ端末２０及
び管理装置３０が近距離無線通信を確立してない場合は、Ｓ８０５及びＳ８１１の処理手
順を省略し、制御サーバ１０に格納されている管理情報１５３をユーザ端末２０に送信す
るようにしてもよい。
【００９２】
図９に、管理用アプリ２００の画面表示例を示す。図９（ａ）は、室内環境が良好だと
判断されている状態の表示例であり、図９（ｂ）は、室内環境において浮遊粉塵（浮遊ダ
スト）の量が多く、換気等が必要である状態の表示例である。
【００９３】
図９（ａ）において、表示エリアＡ１０１には、温度センサ３６１で計測された室内温
度、エアコンである管理対象機器４０の動作状態として冷房のオン／オフ、エアコンであ
る管理対象機器４０から通知された外気温、及び、加湿器である管理対象機器４０のオン
／オフが表示される。表示エリアＡ１０２には、光センサ３６３で測定された室内の照度
が表示される。表示エリアＡ１０３には、ダストセンサ３６４で測定された室内の浮遊粉
塵の量が表示される。表示エリアＡ１０４には、ＴＶＯＣセンサ３６５で測定された室内
の浮遊粉塵の量が表示される。表示エリアＡ１０５には、室内環境の総合的な評価結果が
表示される。ここで、図９（ｂ）に示すように、ダストセンサ３６４で測定された室内の
浮遊粉塵の量が増加したと仮定すると、表示エリアＡ１０５に表示される室内環境の総合
的な評価結果が変更され、更に、空気清浄器機を勧めるとのメッセージが表示エリアＡ１
０６に表示される。図８に戻り説明を続ける。
【００９４】
続いて、制御サーバ１０の管理情報管理部１１３において、管理情報１５３を統計分析
すること等により、ユーザＵに通知すべき情報が生じたと仮定する（Ｓ８２１）。ユーザ
端末２０及び管理装置３０が近距離無線通信を確立していない場合、制御サーバ１０は、
通信経路Ｒ４ａ又は通信経路Ｒ４ｂを用いて、ユーザＵに通知すべき情報をユーザ端末２
０に通知する（Ｓ８２３）。なお、制御サーバ１０は、通信経路Ｒ２を用いて、ユーザＵ
に通知すべき情報を管理装置３０に通知するようにしてもよい（Ｓ８２５）。この場合、
管理装置３０は、ユーザ端末２０及び管理装置３０の間で近距離無線通信を確立している
場合、通信経路Ｒ１を用いて、ユーザＵに通知すべき情報をユーザ端末２０に転送し、近
距離無線通信を確立していない場合、通信経路Ｒ７を用いて、ユーザＵに通知すべき情報
をユーザ端末２０に転送するようにしてもよい（Ｓ８２７）。
【００９５】
なお、管理装置３０の管理部３２０において、管理情報３７３を統計分析すること等に
より、ユーザＵに通知すべき情報（ユーザＵにおける昨年度の使用量と比較して著しく多
いといった情報等）を生成してユーザ端末２０に通知するようにしてもよい。この場合に
おいて、ユーザ端末２０及び管理装置３０が近距離無線通信を確立してない場合、管理装
置３０は、通信経路Ｒ７を用いて、ユーザＵに通知すべき情報をユーザ端末２０に通知す
るようにしてもよい。ユーザ端末２０及び管理装置３０が近距離無線通信を確立している
場合、管理装置３０は、通信経路Ｒ１を用いて、ユーザＵに通知すべき情報をユーザ端末
２０に通知するようにしてもよい。
【００９６】
次に、ユーザＵがＩｏＴ機器に向かって、音声にて管理情報の通知を要求するか、又は
、音声にて所定の管理対象機器４０の操作を要求したとする。この場合、ＩｏＴ機器５０
は、管理情報を要求する音声又は所定の管理対象機器４０の操作を要求する音声をＩｏＴ
サーバ６０に送信する（Ｓ８３１）。続いて、ＩｏＴサーバ６０は、外部連携ＡＰＩを用
いて、制御サーバ１０に、管理情報要求メッセージ／制御要求メッセージを送信する（Ｓ
８３３）。制御サーバ１０は、通信経路Ｒ２を用いて、管理情報要求メッセージ／制御要
求メッセージを送信する（Ｓ８３５）。
【００９７】
ユーザＵが、音声にて所定の管理対象機器４０の操作を要求した場合、管理装置３０は
、ユーザから指示された所定の管理対象機器４０に対する操作を実行するため、当該所定
の管理対象機器４０に対して、ユーザから指示された制御の内容を含む制御メッセージを
送信する（Ｓ８３７）。制御メッセージを受信した各管理対象機器４０は、管理装置３０
に対して制御応答メッセージを送信する（Ｓ８３９）。Ｓ８３７及びＳ８３９の処理手順
は、それぞれＳ８０７及びＳ８０９の処理手順と同一であるため詳細については省略する
。
【００９８】
続いて、管理装置３０は、管理情報又は制御結果をＩｏＴサーバ６０に送信する（Ｓ８
４３）。ＩｏＴサーバ６０は、管理情報又は制御結果を示す音声データをＩｏＴ機器５０
に送信し、ＩｏＴ機器５０は、当該音声データをスピーカーから出力する（Ｓ８４５）。
【００９９】
（５．２  その他処理について）
ユーザ端末２０は、図７のＳ７１１の処理手順において、ユーザ端末２０の位置情報を
制御サーバ１０に通知するようにしてもよい。また、制御サーバ１０は、管理情報１５３
をＤＢ１５０に格納する際、通知された位置情報を管理情報１５３に対応づけて格納する
ようにしてもよい。制御サーバ１０は、管理情報１５３の解析を行う場合に、当該位置情
報を、管理装置３０が設置されている場所とみなして解析を行うようにしてもよい。制御
サーバ１０は、複数のユーザ宅に設置された複数の管理装置３０から管理情報を収集する
ことが可能であることから、複数のユーザ宅から収集された管理情報を統計的に解析する
際に、管理装置３０の設置場所を考慮した解析を行うことが可能になる。
【０１００】
（６．  ハードウェア構成）
次に、図１０及び図１１を参照しながら、制御サーバ１０及びユーザ端末２０のハード
ウェア構成について説明する。
【０１０１】
（６．１．  制御サーバ１０）
まず、図１０を参照しながら、制御サーバ１０のハードウェア構成を説明する。図１０
に示すように、制御サーバ１０は、制御部１７１と、通信インタフェース（Ｉ／Ｆ）部１
７５と、記憶部１７７と、表示部１８１と、入力部１８３とを含み、各部はバスライン１
８５を介して接続される。
【０１０２】
制御部１７１は、ＣＰＵ（Ｃｅｎｔｒａｌ  Ｐｒｏｃｅｓｓｉｎｇ  Ｕｎｉｔ。図示せ
ず）、ＲＯＭ（Ｒｅａｄ  Ｏｎｌｙ  Ｍｅｍｏｒｙ。図示せず）、ＲＡＭ（Ｒａｎｄｏｍ
Ａｃｃｅｓｓ  Ｍｅｍｏｒｙ）１５３等を含む。制御部１７１は、記憶部１７７に記憶
される制御プログラム１７９を実行することにより、一般的な情報処理装置としての機能
に加え、上述した制御サーバ１０にかかる処理を実現可能に構成される。例えば、図５を
参照しながら説明した管理装置制御部１１０、ユーザ登録部１２０、及びユーザ端末制御
部１３０は、ＲＡＭ１７３に一時記憶された上で、ＣＰＵ上で動作する制御プログラム１
７９として実現可能である。
【０１０３】
また、ＲＡＭ１７３は、制御プログラム１７９に含まれるコードの他、図５に示したユ
ーザ情報１５１、及び管理情報１５３を格納するＤＢ１５０の一部又は全部を一時的に保
持する。更にＲＡＭ１７３は、ＣＰＵが各種処理を実行する際のワークエリアとしても使
用される。
【０１０４】
通信Ｉ／Ｆ部１７５は、ユーザ端末２０や管理装置３０を含む外部の装置との間で、通
信ネットワークＮ１を介したデータ通信を行うためのデバイスである。図５で示した管理
装置制御部１１０、ユーザ登録部１２０、及びユーザ端末制御部１３０がユーザ端末２０
や、管理装置３０、ＩｏＴサーバ６０との間で行う通信は、全て通信Ｉ／Ｆ部１７５が行
う。
【０１０５】
記憶部１７７は、例えばＨＤＤ（Ｈａｒｄ  Ｄｉｓｋ  Ｄｒｉｖｅ）やフラッシュメモ
リ等の不揮発性の記憶媒体である。記憶部１７７は、一般的な情報処理装置としての機能
を実現するためのオペレーティングシステム（ＯＳ）やアプリケーション及びデータ（図
示せず）を記憶する。また記憶部１７７は、制御プログラム１７９及びＤＢ１５０を記憶
する。前述のとおり、図５に示した管理装置制御部１１０、ユーザ登録部１２０、及びユ
ーザ端末制御部１３０は、制御プログラム１７９に含まれる。
【０１０６】
ＤＢ１５０は、例えば図５に示したユーザ情報１５１、及び管理情報１５３などを含む
ことができる。ＤＢ１５０に含まれる各種データは、必要に応じてＲＡＭ１７３にロード
され、制御部１７１に含まれるＣＰＵから参照される。
【０１０７】
表示部１８１は、管理者に情報を表示するためのディスプレイ装置である。表示部１８
１の具体例としては、例えば液晶ディスプレイや有機ＥＬ（Electro-Luminescence）ディ
スプレイ等が挙げられる。入力部１８３は、管理者から入力を受け付けるためのデバイス
である。入力部１８３の具体例としては、キーボードやマウス、タッチパネル等を挙げる
ことができる。
【０１０８】
なお、制御サーバ１０は、表示部１８１及び入力部１８３を必ずしも備える必要はない
。また表示部１８１及び入力部１８３は、ＵＳＢ（Universal Serial Bus）やディスプレ
イポート等の各種インタフェースを介して外部から制御サーバ１０に接続されても良い。
【０１０９】
制御サーバ１０は、図１０に示すハードウェア構成に限定されない。例えば、制御サー
バ１０は、クラウドサーバや仮想サーバを用いて実現されていてもよい。
【０１１０】
（６．２．  ユーザ端末２０）
次に、図１１を参照しながらユーザ端末２０のハードウェア構成を説明する。図１１に
示すように、ユーザ端末２０は、制御部９０１と、近距離無線通信部９０５と、無線通信
部９０７と、記憶部９０９と、表示部９１１と、入力部９１３とを含み、各部はバスライ
ン９１５を介して接続される。
【０１１１】
制御部９０１は、ＣＰＵ（図示せず）、ＲＯＭ（図示せず）、ＲＡＭ９０３等を含む。
制御部９０１は、記憶部９０９に記憶される管理用アプリ２００を実行することにより、
一般的な情報処理装置としての機能に加え、本実施形態に係る処理を実現可能に構成され
る。例えば、図６を参照しながら説明した表示制御部２１０、入力部２２０、管理装置接
続部２３０、管理装置設定部２４０、ユーザ情報登録部２５０、管理情報取得部２６０、
制御指示部２７０、及び報知部２８０は、ＲＡＭ９０３に一時記憶された上で、ＣＰＵ上
で動作する管理用アプリ２００の一部として実現可能である。
【０１１２】
また、ＲＡＭ９０３は、管理用アプリ２００に含まれるコードの他、図６に示したユー
ザ情報２９１を格納するＤＢ２９０の一部又は全部を一時的に保持する。更にＲＡＭ９０
３は、ＣＰＵが各種処理を実行する際のワークエリアとしても使用される。
【０１１３】
近距離無線通信部９０５は、例えば管理装置３０から定期的に送信されるＢｌｕｅｔｏ
ｏｔｈ（登録商標）通信等によるビーコン信号を受信し、また管理装置３０と通信するた
めのデバイスである。無線通信部９０７は、制御サーバ１０を含む外部の装置との間で、
通信ネットワークＮ１又は通信ネットワークＮ２を介したデータ通信を行うためのデバイ
スである。
【０１１４】
記憶部９０９は、例えばＨＤＤやフラッシュメモリ等の不揮発性の記憶媒体である。記
憶部９０９は、一般的な情報処理装置としての機能を実現するためのオペレーティングシ
ステムやアプリケーション及びデータを記憶する。また記憶部９０９は、管理用アプリ２
００を記憶する。管理用アプリ２００には、表示制御部２１０、入力部２２０、管理装置
接続部２３０、管理装置設定部２４０、ユーザ情報登録部２５０、管理情報取得部２６０
、制御指示部２７０、及び報知部２８０が含まれる。また記憶部９０９には、管理用アプ
リ２００が管理するＤＢ２９０を格納する記憶領域も確保される。ＤＢ２９０には、図６
で説明したように、ユーザ情報２９１が含まれる。ＤＢ２９０に含まれる各種データは、
必要に応じてＲＡＭ９０３にロードされ、制御部９０１に含まれるＣＰＵから参照される
。
【０１１５】
表示部９１１は、ユーザＵに報知する情報を表示するためのディスプレイ装置である。
表示部９１１の具体例としては、例えば液晶ディスプレイや有機ＥＬディスプレイ等が挙
げられる。入力部９１３は、ユーザＵから入力を受け付けるためのデバイスである。入力
部９１３の具体例としては、タッチパネルや各種操作ボタン等を挙げることができる。
【０１１６】
なお、表示部９１１及び入力部９１３は、例えば近距離無線通信部９０５が通信可能な
外部装置等として実現することも可能である。
【０１１７】
（７．  本実施形態の効果）
以上説明したように、本実施形態に係る機器管理システム１では、管理装置３０におい
て、管理装置３０が設置されたユーザＵの部屋の温度等の環境情報を取得できると共に、
ユーザＵの部屋に設置された家電等である管理対象機器４０の動作状態を収集や制御を行
うことができる。ここで、環境情報及び管理対象機器４０の動作状態の参照や、管理対象
機器４０を制御するためのユーザインタフェースはユーザＵが使い慣れたユーザ端末２０
上で提供される。すなわち、管理装置３０上に操作用のボタン等の入力インタフェースを
殆ど設ける必要がないため、ユーザＵは好適に操作入力を行うことが可能である。
【０１１８】
また、環境情報及び管理対象機器４０の動作状態を含む管理情報を分析することでユー
ザＵに通知すべき情報が生じた場合、当該情報が、ユーザＵが携帯するユーザ端末２０か
ら報知される。これにより、ユーザＵが管理装置３０の近辺におらずとも、ユーザＵは、
ユーザＵの宅内に関する情報を把握することが可能となる。
【０１１９】
（８．  付記事項）
なお、上述の実施形態の構成は、組み合わせたり或いは一部の構成部分を入れ替えたり
してもよい。また、本発明の構成は上述の実施形態のみに限定されるものではなく、本発
明の要旨を逸脱しない範囲内において種々変更を加えてもよい。
【符号の説明】
【０１２０】
１…機器管理システム、１０…制御サーバ、２０…ユーザ端末、３０…管理装置、４０
…管理対象機器、５０…ＩｏＴ機器、６０…ＩｏＴサーバ、１１０…管理装置制御部、１
１１…制御指示部、１１３…管理情報管理部、１２０…ユーザ登録部、１３０…ユーザ端
末制御部、１３１…ユーザ情報取得部、１３３…状態通知部、１３５…制御指示受付部、
１４０…ＩｏＴ機器連携部、１４１…指示受付部、１４３…管理情報通知部、１５０…Ｄ
Ｂ、１５１…ユーザ情報、１５３…管理情報、１７１…制御部、１７３…ＲＡＭ、１７５
…通信Ｉ／Ｆ部、１７７…記憶部、１７９…制御プログラム、１８１…表示部、１８３…
入力部、１８５…バスライン、２００…管理用アプリケーション、２１０…表示制御部、
２２０…入力部、２３０…管理装置接続部、２４０…管理装置設定部、２５０…ユーザ情
報登録部、２６０…管理情報取得部、２７０…制御指示部、２８０…報知部、２９０…Ｄ
Ｂ、２９１…ユーザ情報、３００…プロセッサ、３０１…筐体、３０２…インジケータ、
３１０…通信部、３１１…端末通信部、３１３…制御サーバ通信部、３２０…管理部、３
３０…表示制御部、３４０…通信ＩＦ（Ｉｎｔｅｒｆａｃｅ）、３４０…通信ＩＦ、３４
１…近距離通信ＩＦ、３４３…有線／無線ＬＡＮ通信ＩＦ、３５０…表示装置、３６０…
センサ、３６１…温度センサ、３６２…湿度センサ、３６３…光センサ、３６４…ダスト
センサ、３６５…ＴＶＯＣセンサ、３６６…ＣＯ２センサ、３６７…気圧センサ、３７０
…記憶装置、３７１…ＤＢ、３７３…管理情報、３８０…記憶装置、３８３…環境情報、
９０１…制御部、９０３…ＲＡＭ、９０５…近距離無線通信部、９０７…無線通信部、９
０９…記憶部、９１１…表示部、９１３…入力部、９１５…バスライン
【図１】
2020110006.tif 000003
【図２】
2020110006.tif 000004
【図３】
2020110006.tif 000005
【図４】
2020110006.tif 000006
【図５】
2020110006.tif 000007
【図６】
2020110006.tif 000008
【図７】
2020110006.tif 000009
【図８】
2020110006.tif 000010
【図９】
2020110006.tif 000011
【図１０】
2020110006.tif 000012
【図１１】
2020110006.tif 000013